(57)【特許請求の範囲】
【請求項１】
２つの躯体間の間隙に設けられるエキスパンションジョイントカバー装置であって、
一方の躯体に対して回動可能に連結された一方の手摺と、
他方の躯体に対して回動可能に連結された他方の手摺と、
を備え、
前記一方の手摺と前記他方の手摺とは、互いに平行に配置され、前記一方及び他方の手摺の側面において摺動可能に連結されており、
前記一方の手摺と前記他方の手摺とを摺動可能に連結する摺動連結手段は、前記一方の手摺の側面に固定されるスライド受材と、前記他方の手摺の側面に固定されて前記スライド受材に摺動可能に係合するスライド材と、を備え、
前記一方の手摺と前記一方の躯体とを連結する回動連結手段、及び、前記他方の手摺と前記他方の躯体とを連結する回動連結手段は、１軸蝶番で構成されており、
前記一方の手摺と前記一方の躯体とを連結する回動連結手段の回動軸と、前記他方の手摺と前記他方の躯体とを連結する回動連結手段の回動軸とは、平面視において、前記一方の手摺及び前記他方の手摺の摺動方向と平行に前記スライド受材と前記スライド材との摺動面を通る同一直線上に配置されていることを特徴とする、エキスパンションジョイントカバー装置。
【請求項２】
前記回動連結手段は、前記一方及び他方の躯体の高さ方向に所定の間隔をおいて複数配置されていることを特徴とする、請求項１記載のエキスパンションジョイントカバー装置。
【発明の詳細な説明】
【技術分野】
【０００１】
この発明は、２つの躯体間の間隙に設けられるエキスパンションジョイントカバー装置であって、手摺を有するエキスパンションジョイントカバー装置に関する。
【背景技術】
【０００２】
手摺を有するエキスパンションジョイントカバー装置として、例えば特許文献１には、躯体間の動きに追従して可動連結するエキスパンションジョイントであって、足場と複数の手摺と、躯体と手摺を連結する回動連結部と、被回動連結部を備えており、足場は、躯体間に跨って水平移動が自在な状態で配置してあり、一方の手摺と他方の手摺は、ほぼ水平方向にスライド自在に嵌合してあり、回動連結部と被回動連結部は、軸部を中心として垂直軸回りに回動自在としたものが開示されている。
【先行技術文献】
【特許文献】
【０００３】
【特許文献１】特開２０１５−１５１７３６号公報
【発明の概要】
【発明が解決しようとする課題】
【０００４】
しかし、上記した特許文献１記載の構造では、平面視で一方の手摺の回動軸と他方の手摺の回動軸とを結んだ線が、一方の手摺及び他方の手摺の摺動方向に対して斜めとなっていた。このため、２つの躯体が間隙の長手方向に変位し、一方の手摺及び他方の手摺が互いに回動且つ摺動したときに、回動軸を押し引きする力が摺動方向に対して平行でない方向に働くこととなる。よって、一方の手摺及び他方の手摺が互いに平行に摺動せず、破損するおそれがある。
【０００５】
そこで、本発明は、一方の手摺及び他方の手摺が回動しつつ摺動したときでも、互いにスムーズに摺動することができるエキスパンションジョイントカバー装置を提供することを課題とする。
【課題を解決するための手段】
【０００６】
本発明は、上記した課題を解決するためになされたものであり、以下を特徴とする。
【０００７】
請求項１記載の発明は、２つの躯体間の間隙に設けられるエキスパンションジョイントカバー装置であって、一方の躯体に対して回動可能に連結された一方の手摺と、他方の躯体に対して回動可能に連結された他方の手摺と、を備え、前記一方の手摺と前記他方の手摺とは、互いに平行に配置され、前記一方及び他方の手摺の側面において摺動可能に連結されており、前記一方の手摺と前記他方の手摺とを摺動可能に連結する摺動連結手段は、前記一方の手摺の側面に固定されるスライド受材と、前記他方の手摺の側面に固定されて前記スライド受材に摺動可能に係合するスライド材と、を備え、前記一方の手摺と前記一方の躯体とを連結する回動連結手段、及び、前記他方の手摺と前記他方の躯体とを連結する回動連結手段は、１軸蝶番で構成されており、前記一方の手摺と前記一方の躯体とを連結する回動連結手段の回動軸と、前記他方の手摺と前記他方の躯体とを連結する回動連結手段の回動軸とは、平面視において、前記一方の手摺及び前記他方の手摺の摺動方向と平行に前記スライド受材と前記スライド材との摺動面を通る同一直線上に配置されていることを特徴とする。
【０００８】
【０００９】
請求項２に記載の発明は、上記した請求項１記載の発明の特徴点に加え、前記回動連結手段は、前記一方及び他方の躯体の高さ方向に所定の間隔をおいて複数配置されていることを特徴とする。
【００１０】
【発明の効果】
【００１１】
請求項１に記載の発明は上記の通りであり、一方の躯体に対して回動可能に連結された一方の手摺と、他方の躯体に対して回動可能に連結された他方の手摺と、を備え、前記一方の手摺と前記他方の手摺とは、互いに平行に配置され、前記一方及び他方の手摺の側面において摺動可能に連結されている。このような構成によれば、２つの躯体が間隙の長手方向に変位した場合には、一方の手摺及び他方の手摺が回動し、且つ摺動することで伸縮して変位に追従できる。また、２つの躯体が間隙の幅方向に変位した場合には、一方の手摺及び他方の手摺が互いに摺動することで伸縮して変位に追従できる。
【００１２】
また、一方の手摺の一方の躯体に対する回動軸と、他方の手摺の他方の躯体に対する回動軸とは、一方の手摺及び他方の手摺の摺動方向と平行な同一直線上に配置されている。このような構成によれば、平面視で一方の手摺の回動軸と他方の手摺の回動軸とを結んだ線を、一方の手摺及び他方の手摺の摺動方向に対して平行とすることができる。よって、躯体が間隙の長手方向に変位し、一方の手摺及び他方の手摺が回動且つ摺動した場合でも、一方の手摺及び他方の手摺の回動軸を押し引きする力が摺動方向に対して平行に働くので、互いにスムーズに摺動させることができる。
【００１３】
また、一方の手摺と一方の躯体とを連結する回動連結手段、及び、他方の手摺と他方の躯体とを連結する回動連結手段は、１軸蝶番で構成されている。このような構成によれば、単純な部品で躯体の変位に追従することができ、コストを最小限に抑えることができる。また、１軸蝶番を使用することで、回動軸を片持ち梁状に持ち出して支持することができるので、一方の手摺の回動軸を他方の手摺側に寄せ、他方の手摺の回動軸を一方の手摺側に寄せて、これらの回動軸を一方の手摺と他方の手摺との中間線上に配置することも容易である。すなわち、２つの回動軸を一方の手摺及び他方の手摺の摺動方向と平行な同一直線上に配置する構成を安価かつ容易に実現することができる。
【００１４】
また、請求項２に記載の発明上記の通りであり、回動連結手段は、一方及び他方の躯体の高さ方向に所定の間隔をおいて複数配置されている。このような構成によれば、回動連結手段が短尺材のため、部材の重量を減少させ、コストを抑制することができる。
【００１５】
また、本発明は上記の通りであり、摺動連結手段は、一方の手摺の側面に固定されるスライド受材と、他方の手摺の側面に固定されて前記スライド受材に摺動可能に係合するスライド材と、を備える。このような構成によれば、摺動連結手段を後付けすることも可能であるため、様々な手摺に対応することができる。よって、汎用性のあるエキスパンションジョイントカバー装置を提供することができる。
【図面の簡単な説明】
【００１６】
【図１】エキスパンションジョイントカバー装置の正面図である。
【図２】エキスパンションジョイントカバー装置の（ａ）平面断面図、（ｂ）Ａ部拡大図である。
【図３】エキスパンションジョイントカバー装置を図２（ｂ）のＢ方向から見た図（手摺は省略）である。
【図４】エキスパンションジョイントカバー装置の側面断面図である。
【図５】（ａ）図４のＣ部拡大図、（ｂ）図４のＤ部拡大図である。
【図６】（ａ）躯体が間隙の長手方向に変位した状態を示す図、（ｂ）躯体が間隙の長手方向（（ａ）の反対方向）に変位した状態を示す図である。
【図７】（ａ）躯体が間隙の幅を狭める方向に変位した状態を示す図、（ｂ）躯体が間隙の幅を広げる方向に変位した状態を示す図である。
【図８】（ａ）躯体が間隙の長手方向且つ幅を狭める方向に変位した状態を示す図、（ｂ）躯体が間隙の長手方向（（ａ）の反対方向）且つ幅を狭める方向に変位した状態を示す図である。
【発明を実施するための形態】
【００１７】
本発明の実施形態について、図を参照しながら説明する。
本実施形態に係るエキスパンションジョイントカバー装置１０は、図１及び図２に示すように、２つの躯体間の間隙５０に設けられるものであり、一方の躯体５１に対して回動可能に連結された一方の手摺１１と、他方の躯体５２に対して回動可能に連結された他方の手摺１２と、一方の手摺１１及び他方の手摺１２をそれぞれ躯体に連結する回動連結手段２０と、一方の手摺１１と他方の手摺１２とを摺動可能に連結する摺動連結手段３０と、を備えて構成される。なお、床面には２つの床躯体５３間の間隙５０に床用のエキスパンションジョイントカバー装置（図示せず）を設け、床用エキスパンションジョイントカバー装置及び床躯体５３の上面両側に対の一方の手摺１１及び他方の手摺１２を設けても良い。
【００１８】
一方の手摺１１及び他方の手摺１２は、図１等に示すように、上横枠１３と下横枠１５と連結縦枠１６と先端縦枠１８とで四方枠組みされており、枠組み内に横方向に架け渡された中横枠１４と、中横枠１４と下横枠１５との間に縦方向に所定間隔で架け渡された複数の中間縦枠１７と、を備える。
【００１９】
なお、連結縦枠１６は、後述する回動連結手段２０に連結されて回動可能に保持される部材である。この連結縦枠１６が一方の躯体５１または他方の躯体５２に回動可能に保持されることで、一方の手摺１１及び他方の手摺１２は、一方の躯体５１または他方の躯体５２に回動可能に連結されており、下横枠１５が地面に接触しないように宙に浮いた状態で保持されている。
【００２０】
この一方の手摺１１及び他方の手摺１２は、図２に示すように、互いに平行に配置されている。また、一方の手摺１１の側面の一部と他方の手摺１２の側面の一部とは、互いに対向して重なるように配置されている。そして、この重なりあった部分には摺動連結手段３０（後述）が設けられている。
【００２１】
回動連結手段２０は、一方の手摺１１及び他方の手摺１２のそれぞれに対応して設けられている。本実施形態においては、図１及び図３に示すように、一方の手摺１１と一方の躯体５１とを連結する回動連結手段２０を上下の３箇所に設け、他方の手摺１２と他方の躯体５２とを連結する回動連結手段２０を上下の３箇所に設けている。
【００２２】
本実施形態においては、この回動連結手段２０は、図２（ｂ）に示すような短尺の１軸蝶番で構成されている。すなわち、この回動連結手段２０は、一方の躯体５１または他方の躯体５２側に取り付けられる一方の可動片２１と、一方の手摺１１または他方の手摺１２側に取り付けられる他方の可動片２２と、一方の可動片２１と他方の可動片２２とを回動可能に連結する回動軸２３と、を備える。
【００２３】
回動連結手段２０の一方の可動片２１は、図２（ｂ）に示すように、躯体固定金具２７を介して、一方の躯体５１または他方の躯体５２側に取り付けられる。躯体固定金具２７は、図２（ｂ）に示すような断面ハット形の部材であり、図３に示すように上下に通しで設けられる長尺材である。この躯体固定金具２７は、一方の躯体５１または他方の躯体５２の表面に当接する一対の固定片２７ａと、一対の固定片２７ａの中間部を突出させた凸部２７ｂと、を備える。一対の固定片２７ａは、ネジ等によって一方の躯体５１または他方の躯体５２に固定されている。また、凸部２７ｂには、回動連結手段２０の一方の可動片２１を取り付けるための取付孔が形成されている。この取付孔の内側にはナットを溶接したナット部２７ｃが設けられている。このため、一方の可動片２１に形成された取付孔と凸部２７ｂに形成された取付孔にボルトを挿通し、ナット部２７ｃに螺着させることで、一方の可動片２１を容易に凸部２７ｂに固定することができる。なお、凸部２７ｂの取付孔にねじ山を形成し、ねじを取付けてもよい。
【００２４】
回動連結手段２０の他方の可動片２２は、図２（ｂ）に示すように、手摺固定金具２８を介して、一方の手摺１１または他方の手摺１２側に取り付けられる。手摺固定金具２８は、図２（ｂ）に示すような断面Ｌ字形の部材であり、図３に示すように、回動連結手段２０の上下幅に合わせて形成された短尺材である。この手摺固定金具２８は、一方の手摺１１または他方の手摺１２の側面にネジなどで固定される手摺固定部２８ａと、回動連結手段２０の他方の可動片２２にネジなどで固定される蝶番固定部２８ｂと、を備える。なお、本実施形態においては、回動連結手段２０の１軸蝶番と手摺固定金具２８は別材だが、一体型でもよい。
【００２５】
このように、回動連結手段２０は、一方の手摺１１及び他方の手摺１２を、一方の躯体５１及び他方の躯体５２に回動可能に連結している。このとき、一方の手摺１１を回動可能に支持する回動軸２３は、一方の手摺１１よりも他方の手摺１２寄りに持ち出された状態となっている。一方、他方の手摺１２を回動可能に支持する回動軸２３は、他方の手摺１２よりも一方の手摺１１寄りに持ち出された状態となっている。これにより、図２（ａ）に示すように、一方の手摺１１の一方の躯体５１に対する回動軸２３と、他方の手摺１２の他方の躯体５２に対する回動軸２３とは、一方の手摺１１及び前記他方の手摺１２の摺動方向（長手方向）と平行な同一直線Ｌ上に配置されている。また、それぞれの回動軸２３が同じ分だけ相互に相手側に持ち出されているので、２つの回動軸２３を結んだ直線Ｌは、一方の手摺１１と他方の手摺１２との中間線となっている。
【００２６】
摺動連結手段３０は、一方の手摺１１と他方の手摺１２とを側面において摺動可能に連結するためのものである。この摺動連結手段３０は、図４に示すように、上下の二箇所に設けられ、一方の手摺１１と他方の手摺１２とを互いに摺動可能に連結している。この摺動連結手段３０は、図５に示すように、一方の手摺１１の側面に固定されるスライド受材３３と、他方の手摺１２の側面に固定されてスライド受材３３に摺動可能に係合するスライド材３１と、を備える。このスライド受材３３及びスライド材３１は、図２（ａ）に示すように、一方の手摺１１と他方の手摺１２とが重なり合う位置に設けられた長尺材である。本実施形態においては、一方の手摺１１側の側面にスライド受材３３を、他方の手摺１１側の側面にスライド材３１を備えているが、他方の手摺１２側の側面にスライド受材３３を、一方の手摺１１側の側面にスライド材３１を備えてもよい。
【００２７】
スライド材３１は、図５に示すように、横枠を貫通させた取付用ボルト３２によって横枠の側面に取り付けられる部材である。本実施形態においては、スライド材３１を中横枠１４及び下横枠１５の側面に取付けられているが、上横枠１３及び下横枠１５に取付けてもよい。このスライド材３１は、横枠に臨むように開口した蟻溝部３１ａと、スライド受材３３の方向へ突出した突出部３１ｃと、を備える。蟻溝部３１ａの内側には、固定用板３１ｂが挿入されている。この固定用板３１ｂは、取付用ボルト３２を螺着させるためのものであり、横枠を貫通した取付用ボルト３２が固定用板３１ｂに螺着されることで、スライド材３１が横枠に固定されている。また、突出部３１ｃの先端には、後述するスライド受材３３のガイド溝３３ｃにスライド可能に係合する係合部３１ｄが設けられている。
【００２８】
スライド受材３３は、図５に示すように、横枠の側面に取り付けた支持板３４を介して、横枠の側面に取り付けられる。本実施形態においては、スライド受材３３を中横枠１４及び下横枠１５の側面に取付けられているが、上横枠１３及び下横枠１５に取付けてもよい。スライド受材３３を取り付けるときには、予め横枠の側面に支持板３４を固定する。支持板３４は、支持板３４と横枠とを貫通させた固定ネジ３５の先端に固定ナット３６を取り付け、この固定ネジ３５と固定ナット３６とで支持板３４と横枠とを締結することで、横枠に固定されている。
【００２９】
スライド受材３３は、この支持板３４に重なり合う取付片３３ａを備えており、この取付片３３ａがボルトナットなどの固定手段３７によって支持板３４に固定される。また、このスライド受材３３は、スライド材３１の方向へ突出した断面Ｃ字形の被係合部３３ｂを備える。この被係合部３３ｂの内側には、スライド材３１の係合部３１ｄとスライド可能に係合するガイド溝３３ｃが形成されている。
【００３０】
上記したような構成によれば、例えば図６に示すように、２つの躯体が間隙５０の長手方向に変位した場合でも、一方の手摺１１及び他方の手摺１２が回動軸２３を中心に回動し、且つ摺動することで伸縮して変位に追従できる。
【００３１】
また、例えば図７に示すように、２つの躯体が間隙５０の幅方向に変位した場合でも、一方の手摺１１及び他方の手摺１２が互いに摺動することで伸縮して変位に追従できる。
【００３２】
また、例えば図８に示すように、２つの躯体が間隙５０の長手方向に変位し、且つ幅方向に変位した場合でも、一方の手摺１１及び他方の手摺１２が回動軸２３を中心に回動し、且つ摺動することで伸縮して変位に追従できる。
【００３３】
しかも、２つの躯体がどのように変位した場合でも、図６及び図７に示すように、一方の手摺１１の回動軸２３と他方の手摺１２の回動軸２３とを結んだ直線Ｌが、一方の手摺１１及び他方の手摺１２の摺動方向と平行である。このため、２つの躯体が互いに離れる方向または接近する方向に変位したときに、回動軸２３を押し引きする力が摺動方向と平行に加わる。よって、一方の手摺１１及び他方の手摺１２が互いに平行に摺動するので、接触せずにスムーズに摺動することができる。
【００３４】
以上説明したように、本実施形態によれば、一方の躯体５１に対して回動可能に連結された一方の手摺１１と、他方の躯体５２に対して回動可能に連結された他方の手摺１２と、を備え、前記一方の手摺１１と前記他方の手摺１２とは、互いに平行に配置され、前記一方及び他方の手摺１１、１２の側面において摺動可能に連結されている。このような構成によれば、２つの躯体が間隙５０の長手方向に変位した場合には、一方の手摺１１及び他方の手摺１２が回動し、且つ摺動することで伸縮して変位に追従できる。また、２つの躯体が間隙５０の幅方向に変位した場合には、一方の手摺１１及び他方の手摺１２が互いに摺動することで伸縮して変位に追従できる。
【００３５】
また、一方の手摺１１の一方の躯体５１に対する回動軸２３と、他方の手摺１２の他方の躯体５２に対する回動軸２３とは、一方の手摺１１及び他方の手摺１２の摺動方向と平行な同一直線Ｌ上に配置されている。このような構成によれば、平面視で一方の手摺１１の回動軸２３と他方の手摺１２の回動軸２３とを結んだ直線Ｌを、一方の手摺１１及び他方の手摺１２の摺動方向に対して平行とすることができる。よって、躯体が間隙５０の長手方向に変位し、一方の手摺１１及び他方の手摺１２が回動且つ摺動した場合でも、一方の手摺１１及び他方の手摺１２の回動軸２３を押し引きする力が摺動方向に対して平行に働くので、互いにスムーズに摺動させることができる。
【００３６】
また、一方の手摺１１と一方の躯体５１とを連結する回動連結手段２０、及び、他方の手摺１２と他方の躯体５２とを連結する回動連結手段２０は、１軸蝶番で構成されている。このような構成によれば、単純な部品で躯体の変位に追従することができ、コストを最小限に抑えることができる。また、１軸蝶番を使用することで、回動軸２３を片持ち梁状に持ち出して支持することができるので、一方の手摺１１の回動軸２３を他方の手摺１２側に寄せ、他方の手摺１２の回動軸２３を一方の手摺１１側に寄せて、これらの回動軸２３を一方の手摺１１と他方の手摺１２との中間線上に配置することも容易である。すなわち、２つの回動軸２３を一方の手摺１１及び他方の手摺１２の摺動方向と平行な同一直線上に配置する構成を安価かつ容易に実現することができる。また、回動連結手段２０が短尺材のため、部材の重量且つコストを抑制することができる。
【００３７】
また、摺動連結手段３０は、一方の手摺１１の側面に固定されるスライド受材３３と、他方の手摺１２の側面に固定されて前記スライド受材３３に摺動可能に係合するスライド材３１と、を備える。このような構成によれば、摺動連結手段３０を手摺に後付けすることも可能であるため、様々な手摺に対応することができる。よって、汎用性のあるエキスパンションジョイントカバー装置１０を提供することができる。
【符号の説明】
【００３８】
１０  エキスパンションジョイントカバー装置
１１  一方の手摺
１２  他方の手摺
１３  上横枠
１４  中横枠
１５  下横枠
１６  連結縦枠
１７  中間縦枠
１８  先端縦枠
２０  回動連結手段
２１  一方の可動片
２２  他方の可動片
２３  回動軸
２７  躯体固定金具
２７ａ  固定片
２７ｂ  凸部
２７ｃ  ナット部
２８  手摺固定金具
２８ａ  手摺固定部
２８ｂ  蝶番固定部
３０  摺動連結手段
３１  スライド材
３１ａ  蟻溝部
３１ｂ  固定用板
３１ｃ  突出部
３１ｄ  係合部
３２  取付用ボルト
３３  スライド受材
３３ａ  取付片
３３ｂ  被係合部
３３ｃ  ガイド溝
３４  支持板
３５  固定ネジ
３６  固定ナット
３７  固定手段
５０  間隙
５１  一方の躯体
５２  他方の躯体
５３  床躯体
Ｌ  直線
【図１】
0006779647.tif 000002
【図２】
0006779647.tif 000003
【図３】
0006779647.tif 000004
【図４】
0006779647.tif 000005
【図５】
0006779647.tif 000006
【図６】
0006779647.tif 000007
【図７】
0006779647.tif 000008
【図８】
0006779647.tif 000009